(57)【要約】【課題】カバー３の開閉をスムーズかつ安全に行うことができ、カバー３を任意の位置で停止させることができ、カバー３が所定の重量を有していても、装置を大型化することなく、取付けスペースを確保することができるカバー保持装置を提供すること。【解決手段】ダンパーとしてワンウェイダンパー１５を採用し、かつコイルスプリング１６を併用することに着目したもので、カバー３の回転軸８に設けるとともにカバー３の開放方向には自由回転し、カバー３の閉鎖方向には所定のトルクを発生可能としたワンウェイダンパー１５と、ワンウェイダンパー１５と同軸であってカバー３を開放方向に付勢するコイルスプリング１６と、を有することを特徴とする。【選択図】        図３
2004322429.tif 000002
【特許請求の範囲】
【請求項１】
所定重量を有するカバーをその回転軸のまわりに機器本体に対して開閉可能に取り付けるためのカバー保持装置であって、
前記カバーの前記回転軸に設けるとともに前記カバーの開放方向には自由回転し、前記カバーの閉鎖方向には所定のトルクを発生可能としたワンウェイダンパーと、
このワンウェイダンパーと同軸であって前記カバーを開放方向に付勢するコイルスプリングと、
を有することを特徴とするカバー保持装置。
【請求項２】
前記カバーの閉鎖方向には該カバーを所定の開放位置に保持可能なトルクを発生可能としたことを特徴とする請求項１記載のカバー保持装置。
【請求項３】
前記カバーをその閉鎖位置に固定するカバー止め具を設けたことを特徴とする請求項１記載のカバー保持装置。
【請求項４】
前記機器本体は、プリンターのプリンター本体であって、
前記カバーには、このプリンターの操作部および印字部を設けてあることを特徴とする請求項１記載のカバー保持装置。
【発明の詳細な説明】
【０００１】
【発明の属する技術分野】
本発明はカバー保持装置にかかるもので、とくにサーマルプリンターなどの各種プリンターその他の機器に開閉可能に取り付けるカバーの開閉作動を安定かつ安全とするカバー保持装置に関するものである。
【０００２】
【従来の技術】
従来のカバー保持装置には、機器本体に対して開閉するカバーの回転軸にスプリングやダンパーその他の付勢部材を設けることにより、カバーの開閉操作を補助しようとしているものがある。すなわち、開放操作時にはスムーズにカバーを開けることができ、閉鎖操作時には急激にカバーが機器本体に衝突するように閉じることを防止している。
【０００３】
しかしながら、各種の部材をカバーに一体に装備している場合などカバー全体が重いときに、従来のカバー保持装置によっては、カバーの重量に適した性能を得ることがむずかしく、また、開閉操作のいずれか一方でスムーズな動作を保証することが困難であるという問題がある。
たとえば、スプリングを用いる構成では、カバーの重量に適したスプリングの設計が困難である。すなわち、スプリングのサイズを非常に大きなものとする必要があり、その取付けスペースに問題が生ずるとともに、カバーを閉じるときに抵抗が大きくなりすぎて操作感覚として非常に重たいものとなってしまう。
また、ダンパーを用いる構成では、たとえばオイルダンパーやエアダンパーは高価であるとともに、その取付けスペースも大きくなってしまう。さらに、通常のダンパーでは、カバーをその開閉途中の任意の角度（傾斜開放角度）で保持することが困難で、とくにプリンターなどの機器のカバーに適用した場合に、その保守点検時の作業に支障が生ずるという問題がある。
【０００４】
【特許文献１】
特開平１１−５３２０号公報
【特許文献２】
特開２００１−２０８１０８号公報
【０００５】
【発明が解決しようとする課題】
本発明は以上のような諸問題にかんがみなされたもので、カバーの開閉をスムーズかつ安全に行うことができるようにしたカバー保持装置を提供することを課題とする。
【０００６】
また本発明は、カバーを開けるときに円滑さを保証し、また閉じるときに過大な負荷がかからないようにするとともに、カバーを任意の位置で停止させることができるようにしたカバー保持装置を提供することを課題とする。
【０００７】
また本発明は、カバーが所定の重量を有していても、装置を大型化することなく、取付けスペースを確保することができるカバー保持装置を提供することを課題とする。
【０００８】
【課題を解決するための手段】
すなわち本発明は、ダンパーとしてワンウェイダンパーを採用するとともにコイルスプリングを併用することに着目したもので、所定重量を有するカバーをその回転軸のまわりに機器本体に対して開閉可能に取り付けるためのカバー保持装置であって、上記カバーの上記回転軸に設けるとともに上記カバーの開放方向には自由回転し、上記カバーの閉鎖方向には所定のトルクを発生可能としたワンウェイダンパーと、このワンウェイダンパーと同軸であって上記カバーを開放方向に付勢するコイルスプリングと、を有することを特徴とするカバー保持装置である。
【０００９】
上記カバーの閉鎖方向には該カバーを所定の開放位置に保持可能なトルクを発生可能とすることができる。
【００１０】
上記カバーをその閉鎖位置に固定するカバー止め具を設けることができる。
【００１１】
上記機器本体は、プリンターのプリンター本体であって、上記カバーには、このプリンターの操作部および印字部を設けてあることができる。
また、当該カバー保持装置は、プリンター以外の任意の機器のカバーの保持装置として適用可能であるが、とくに比較的重量があるカバーを鉛直面内で開閉させる機構として好適である。
【００１２】
当該カバー保持装置は、上記機器本体に対して上記カバーの上記回転軸のいずれか一方の側、あるいは左右端部側に設けることができる。
【００１３】
本発明によるカバー保持装置においては、カバーの開放方向には自由回転し、カバーの閉鎖方向には所定のトルクを発生可能としたワンウェイダンパーを採用するとともに、閉鎖方向のトルクの量を補助可能なコイルスプリングを併用するようにしたので、ワンウェイダンパーの負荷保持機能をコイルスプリングにより強化可能とすることができる。
したがって、カバーの開放操作時にはコイルスプリングの付勢力によって、わずかな操作力でカバーを操作可能であり、カバーの閉鎖操作時にはコイルスプリングおよびワンウェイダンパーの付勢力によって、所定のトルクをカバーの回転軸に発生させて、重量があるカバーであってもこれを任意の開放位置に停止させることができて内部の保守点検作業に便利であるとともに、装置全体を大型化することなく、省スペース化を実現して、狭い空間にも装備することができる。
【００１４】
【発明の実施の形態】
つぎに本発明の実施の形態によるカバー保持装置を図１ないし図５にもとづき説明する。
図１は、カバー保持装置を装備したサーマルプリンター１の概略側面図、図２は、同、概略正面図であって、サーマルプリンター１は、機器本体としてのハウジング２と、このハウジング２に対して開閉するカバー３と、印字用紙保持部４と、印字部５と、操作部６と、当該カバー保持装置７と、を有する。
【００１５】
ハウジング２は、印字用紙保持部４および印字部５を収容するとともに、とくに図２に示すように、カバー３の回転軸８の左右両側にカバー保持装置７を設けている。
【００１６】
カバー３は、ハウジング２に対し水平方向に延びる回転軸８のまわりに鉛直面内で開閉可能であって、その内面側に印字部５を、また外面側に操作部６をそれぞれ装備し、所定の重量を有する。このカバー３は、後述するように、カバー保持装置７によりハウジング２に対し所定の姿勢で開閉位置に保持可能である（図４、図５参照）。なお、カバー３をその閉鎖位置に固定するカバー止め具１０を設けている。
【００１７】
印字用紙保持部４は、帯状の印字用紙９をロール状に保持しており、印字用紙９を印字部５に向かって繰り出し可能としている。
【００１８】
印字部５は、プラテンローラー１１およびサーマルヘッド１２を有し、プラテンローラー１１がハウジング２側に、サーマルヘッド１２がカバー３側に取付けられていて、その間に供給されてきた印字用紙９に印字を行う。カバー３が開放されたとき、プラテンローラー１１とサーマルヘッド１２との間に大きく開放空間部を形成し、プラテンローラー１１、サーマルヘッド１２さらには内部の各部材ないしは機構を点検可能としている。
【００１９】
操作部６は、図１に示すように、カバー３に対して所定の角度で起立した姿勢でこれをカバー３に取り付けており、図２に示すように、操作ボタン部１３および表示部１４を有している。
【００２０】
図３は、カバー保持装置７の分解斜視図であって、カバー保持装置７は、たとえば特許文献２によるものを採用することができ、ハウジング２に対してカバー３を開閉操作する際の保持を行うもので、前記回転軸８と、ワンウェイダンパー１５と、コイルスプリング１６と、固定用ブラケット１７と、を有する。
【００２１】
ワンウェイダンパー１５は、カバー３の回転軸８に設けるとともにカバー３の開放方向には自由回転し、カバー３の閉鎖方向には所定トルクを発生可能とするものである。ワンウェイダンパー１５は、その外部突出部１５Ａを固定用ブラケット１７の固定用窓部１８に係合させている。
【００２２】
コイルスプリング１６は、ワンウェイダンパー１５と同軸であってカバー３を開放方向に付勢するものである。すなわち、コイルスプリング１６は、ワンウェイダンパー１５の外周部にこれを巻きかけ、その固定端部１６Ａを固定用ブラケット１７の固定孔部１９に係合するとともに、その自由端部１６Ｂをカバー３の係合部３Ａに当接して、カバー３の開放方向にコイルスプリング１６の付勢力を発揮可能としている。
したがって、カバー３の閉鎖方向におけるワンウェイダンパー１５によるトルクおよびコイルスプリング１６による付勢力の合成力の範囲内でカバー３を所定開放位置に保持可能である。
【００２３】
なお、固定用ブラケット１７は、ハウジング２内の本体ブラケット２０との間にワンウェイダンパー１５およびコイルスプリング１６を位置させた状態で固定ボルト２１によりこれを本体ブラケット２０に固定している。
【００２４】
こうした構成のカバー保持装置７を有するサーマルプリンター１において、カバー止め具１０を外すとともに、カバー３を回転軸８のまわりに開放動作させることにより、印字部５のプラテンローラー１１とサーマルヘッド１２とを分離させつつカバー３を大きく開けることができる。この開放動作の際に、コイルスプリング１６による開放方向の付勢力によってカバー３をわずかな操作力で開けることができ、一方、ワンウェイダンパー１５は空転するだけであり、開放操作に支障はない。
【００２５】
図４および図５は、図１と同様のサーマルプリンター１の概略側面図であって、カバー３をそれぞれ所定の傾斜角度まで開放してその位置でカバー３を停止させた状態を示している。図４は、最大開放位置まで開いた状態を示し、図５は、途中の開放位置で停止させた状態を示している。
すなわち、カバー保持装置７にはワンウェイダンパー１５が組み込まれているので、図４および図５に示すように、カバー３の開放姿勢を任意の位置に選択可能であり、作業者はカバー３の開放位置にそれほど注意を払わずに、安全に保守点検作業に専念することができる。
【００２６】
さらに、ワンウェイダンパー１５に加えてコイルスプリング１６を設けているので、カバー３を開放方向に付勢する付勢力を補うことができ、比較的重量がある操作部６あるいは印字部５（サーマルヘッド１２）をカバー３に取り付けてあっても、ワンウェイダンパー１５自体ないしはカバー保持装置７自体の構成を大型化する必要がなく、その取付けスペースを小さくすることができる。
【００２７】
【発明の効果】
以上のように本発明によれば、ワンウェイダンパーおよびコイルスプリングを設けたので、カバーの開閉操作を安全かつ円滑にするとともに、カバーを任意の傾斜角度に保持可能であり、さらに装置全体を大型化することなく、その取り付けスペースも小さくすることができる。
【図面の簡単な説明】
【図１】本発明の実施の形態によるカバー保持装置７を装備したサーマルプリンター１の概略側面図である。
【図２】同、概略正面図である。
【図３】同、カバー保持装置７の分解斜視図である。
【図４】同、サーマルプリンター１の概略側面図であって、カバー３を最大開放位置まで開いた状態を示す。
【図５】同、サーマルプリンター１の概略側面図であって、カバー３を途中の開放位置で停止させた状態を示す。
【符号の説明】
１  サーマルプリンター
２  ハウジング
３  カバー
３Ａ  カバー３の係合部（図３）
４  印字用紙保持部
５  印字部
６  操作部
７  サーマルプリンター１におけるカバー保持装置（実施の形態、図３）
８  カバー３の回転軸
９  印字用紙
１０  カバー止め具
１１  プラテンローラー
１２  サーマルヘッド
１３  操作ボタン部
１４  表示部
１５  ワンウェイダンパー
１５Ａ  ワンウェイダンパー１５の外部突出部（図３）
１６  コイルスプリング
１６Ａ  コイルスプリング１６の固定端部（図３）
１６Ｂ  コイルスプリング１６の自由端部（図３）
１７  固定用ブラケット
１８  固定用ブラケット１７の固定用窓部
１９  固定孔部
２０  本体ブラケット
２１  固定ボルト
【図１】
2004322429.tif 000003
【図２】
2004322429.tif 000004
【図３】
2004322429.tif 000005
【図４】
2004322429.tif 000006
【図５】
2004322429.tif 000007